(57)【要約】  本願の実施例は、システム情報の送信方法、ネットワークデバイス及び端末デバイスを提供する。ネットワークデバイスは、端末デバイスがセル発見を行うための第１のタイプのシステム情報を端末デバイスの常駐不可セルで送信することによって、第１のタイプのシステム情報にはセル発見を行うために必要な情報のみを含めることができ、システム情報の送信に際して不要なシグナリングオーバーヘッドが生じることを回避する。当該方法は、端末デバイスがセル発見を行うための第１のタイプのシステム情報を送信することを含み、当該第１のタイプのシステム情報は、当該端末デバイスが常駐することができないセルのシステム情報である。
2020532151.tif 000002
【特許請求の範囲】
【請求項１】
端末デバイスがセル発見を行うための第１のタイプのシステム情報を送信することを含み、
前記第１のタイプのシステム情報は、前記端末デバイスが常駐することができないセルのシステム情報である
ことを特徴とするシステム情報の送信方法。
【請求項２】
前記方法は、さらに、
前記端末デバイスがセルアクセスを行うための第２のタイプのシステム情報を送信することを含み、前記第２のタイプのシステム情報は、前記端末デバイスが常駐することができるセルのシステム情報である
ことを特徴とする請求項１に記載のシステム情報の送信方法。
【請求項３】
前記第１のタイプのシステム情報及び／又は前記第２のタイプのシステム情報を送信する前に、前記方法は、さらに、
前記端末デバイスに指示情報を送信することを含み、
前記指示情報は、送信するシステム情報が前記第１のタイプのシステム情報及び／又は前記第２のタイプのシステム情報であることを示し、又は、
前記指示情報は、送信するシステム情報に対応するセルが常駐することができないセル及び／又は常駐することができるセルであることを示す
ことを特徴とする請求項１又は２に記載のシステム情報の送信方法。
【請求項４】
前記端末デバイスに指示情報を送信することは、
物理放送チャネルＰＢＣＨを介して前記端末デバイスに前記指示情報を送信することを含む
ことを特徴とする請求項３に記載のシステム情報の送信方法。
【請求項５】
前記第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む
ことを特徴とする請求項１〜４のいずれか１項に記載のシステム情報の送信方法。
【請求項６】
前記第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む
ことを特徴とする請求項１〜５のいずれか１項に記載のシステム情報の送信方法。
【請求項７】
ネットワークデバイスにより送信された指示情報を受信することを含み、
前記指示情報は、少なくとも１つの受信予定のシステム情報の各受信予定のシステム情報が第１のタイプのシステム情報又は第２のタイプのシステム情報であることを示し、又は、前記指示情報は、少なくとも１つのセルの各セルが端末デバイスがアクセスすることができるセル又はアクセスすることができないセルであることを示し、
前記第１のタイプのシステム情報は、端末デバイスがセル発見を行うための情報を含み、前記第２のタイプのシステム情報は、端末デバイスがセルアクセスを行うための情報を含み、前記端末デバイスがアクセスすることができないセルのシステム情報は、前記第１のタイプのシステム情報であり、前記端末デバイスがアクセスすることができるセルのシステム情報は、前記第２のタイプのシステム情報である
ことを特徴とするシステム情報の送信方法。
【請求項８】
前記方法は、さらに、
前記ネットワークデバイスにより送信された、前記少なくとも１つの受信予定のシステム情報を受信することと、
前記指示情報に基づいて、各セルに対応する前記受信予定のシステム情報が前記第１のタイプのシステム情報又は前記第２のタイプのシステム情報であると確定することとを含み、
前記各受信予定のシステム情報が１つのセルに対応する
ことを特徴とする請求項７に記載のシステム情報の送信方法。
【請求項９】
前記第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む
ことを特徴とする請求項７又は８に記載のシステム情報の送信方法。
【請求項１０】
前記第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む
ことを特徴とする請求項７〜９のいずれか１項に記載のシステム情報の送信方法。
【請求項１１】
前記ネットワークデバイスにより送信された指示情報を受信することは、
物理放送チャネルＰＢＣＨを介して前記ネットワークデバイスにより送信された前記指示情報を受信することを含む
ことを特徴とする請求項７〜１０のいずれか１項に記載のシステム情報の送信方法。
【請求項１２】
端末デバイスがセル発見を行うための第１のタイプのシステム情報を送信するように構成される送信ユニットを含み、
前記第１のタイプのシステム情報は、前記端末デバイスが常駐することができないセルのシステム情報である
ことを特徴とするネットワークデバイス。
【請求項１３】
前記送信ユニットは、さらに、前記端末デバイスがセルアクセスを行うための第２のタイプのシステム情報を送信するように構成され、
前記第２のタイプのシステム情報は、前記端末デバイスが常駐することができるセルのシステム情報である
ことを特徴とする請求項１２に記載のネットワークデバイス。
【請求項１４】
前記送信ユニットは、前記第１のタイプのシステム情報及び／又は前記第２のタイプのシステム情報を送信する前に、さらに、前記端末デバイスに指示情報を送信するように構成され、
前記指示情報は、送信するシステム情報が前記第１のタイプのシステム情報及び／又は前記第２のタイプのシステム情報であることを示す
ことを特徴とする請求項１２又は１３に記載のネットワークデバイス。
【請求項１５】
前記送信ユニットは、さらに、物理放送チャネルＰＢＣＨを介して前記端末デバイスに前記指示情報を送信するように構成される
ことを特徴とする請求項１４に記載のネットワークデバイス。
【請求項１６】
前記第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む
ことを特徴とする請求項１２〜１５のいずれか１項に記載のネットワークデバイス。
【請求項１７】
前記第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む
ことを特徴とする請求項１２〜１６のいずれか１項に記載のネットワークデバイス。
【請求項１８】
ネットワークデバイスにより送信された指示情報を受信するように構成される受信ユニットを含み、
前記指示情報は、少なくとも１つの受信予定のシステム情報の各受信予定のシステム情報が第１のタイプのシステム情報又は第２のタイプのシステム情報であることを示し、又は、前記指示情報は、少なくとも１つのセルの各セルが端末デバイスがアクセスすることができるセル又はアクセスすることができないセルであることを示し、
前記第１のタイプのシステム情報は、端末デバイスがセル発見を行うための情報を含み、前記第２のタイプのシステム情報は、端末デバイスがセルアクセスを行うための情報を含み、前記端末デバイスがアクセスすることができないセルのシステム情報は、前記第１のタイプのシステム情報であり、前記端末デバイスがアクセスすることができるセルのシステム情報は、前記第２のタイプのシステム情報である
ことを特徴とする端末デバイス。
【請求項１９】
前記端末デバイスは、さらに、確定ユニットを含み、
前記受信ユニットは、さらに、前記ネットワークデバイスにより送信された、前記少なくとも１つの受信予定のシステム情報を受信するように構成され、
前記各受信予定のシステム情報が１つのセルに対応し、
前記確定ユニットは、前記指示情報に基づいて、各セルに対応する前記受信予定のシステム情報が前記第１のタイプのシステム情報又は前記第２のタイプのシステム情報であると確定するように構成される
ことを特徴とする請求項１８に記載の端末デバイス。
【請求項２０】
前記第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む
ことを特徴とする請求項１８又は１９に記載の端末デバイス。
【請求項２１】
前記第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む
ことを特徴とする請求項１８〜２０のいずれか１項に記載の端末デバイス。
【請求項２２】
前記受信ユニットは、さらに、物理放送チャネルＰＢＣＨを介して前記ネットワークデバイスにより送信された前記指示情報を受信するように構成される
ことを特徴とする請求項１８〜２１のいずれか１項に記載の端末デバイス。
【発明の詳細な説明】
【技術分野】
【０００１】
本願は、通信分野に関し、具体的に、システム情報の送信方法、ネットワークデバイス及び端末デバイスに関する。
【背景技術】
【０００２】
５Ｇ通信システムにおいて、ネットワーク内のセルは、端末デバイスが常駐することができるセルと、端末デバイスが常駐することができないセル(例えば、禁止セル( Ｂａｒｒｅｄ Ｃｅｌｌ )、非独立に動作するセルなど)とに分けられてもよい。この段階で、ネットワークデバイスは、双方のセルで同一のシステム情報を送信する。しかしながら、端末デバイスが常駐することができないセルに対して、端末デバイスが常駐することができるセルと同じシステム情報を送信することは、いくつかの不必要な情報(例えば、セル選択情報、他のシステム情報のスケジューリング情報など)を送信し、さらに、不必要なシグナリングオーバーヘッドを生じさせる。
【０００３】
したがって、端末デバイスが常駐することができないセルでシステム情報を送信する際に、不要なシグナリングオーバーヘッドをどのように回避するかが、解決すべき課題である。
【発明の概要】
【０００４】
本発明の実施例は、端末デバイスがセル発見を行うための第１のシステム情報を、常駐することができないセルで送信するとともに、端末デバイスがセルアクセスを行うための第２のシステム情報を、常駐することができるセルで送信し、さらに、セル送信のシステム情報が第１のシステム情報であるか第２のシステム情報であるかを示す指示情報を端末デバイスに送信することにより、システム情報の送受信における不要なシグナリングオーバーヘッドの発生を回避するシステム情報送信方法、ネットワークデバイス及び端末デバイスを提供する。
【０００５】
第１の態様として、本願の実施例は、システム情報の送信方法を提供し、
端末デバイスがセル発見を行うための第１のタイプのシステム情報を送信することを含み、当該第１のタイプのシステム情報は、当該端末デバイスが常駐することができないセルのシステム情報である。
【０００６】
このように、本発明の実施例に係るシステム情報の送信方法は、ネットワークデバイスが端末デバイスの常駐不可セルで端末デバイスのセル発見を実現するための第１タイプのシステム情報を送信することによって、第１タイプのシステム情報にはセル発見を行うために必要な情報のみを含めることができ、システム情報の送信に不必要なシグナリングオーバーヘッドが生じることを回避することができる。
【０００７】
選択可能で、第１の態様の実現可能な方式において、当該方法は、さらに、
当該端末デバイスがセルアクセスを行うための第２のタイプのシステム情報を送信することを含み、当該第２のタイプのシステム情報は、当該端末デバイスが常駐することができるセルのシステム情報である。
【０００８】
このように、本発明の実施例に係るシステム情報送信方法では、ネットワークデバイスが、端末デバイスが常駐することができるセルで端末デバイスのセルアクセスを実現するための第２のシステム情報を送信するので、端末デバイスの常駐することができるセルと、端末デバイスの常駐することができないセルと、それぞれ異なるシステム情報を設定することができ、システム情報を最適化することができる。
【０００９】
選択可能で、第１の態様の実現可能な方式において、当該第１のタイプのシステム情報及び／又は当該第２のタイプのシステム情報を送信する前に、当該方法は、さらに、
当該端末デバイスに指示情報を送信し、当該指示情報は、送信するシステム情報が当該第１のタイプのシステム情報及び／又は当該第２のタイプのシステム情報であることを示し、又は、
当該指示情報は、送信するシステム情報に対応するセルが常駐することができないセル及び／又は常駐することができる常駐セルを示す。
【００１０】
このように、本発明の実施例に係るシステム情報送信方法は、ネットワークデバイスが端末デバイスに指示情報を送信し、セルが送信するシステム情報が第１のシステム情報であるか第２のシステム情報であるかを示すことによって、端末デバイスが指示情報に応じて各セルのシステム情報のタイプを予め確定することができるので、システム情報を意図的に受信することができ、システム情報の受信過程で生じるシグナリングオーバーヘッドを低減することができる。
【００１１】
選択可能で、第１の態様の実現可能な方式において、当該端末デバイスに指示情報を送信することは、
物理放送チャネルＰＢＣＨを介して当該端末デバイスに当該指示情報を送信することを含む。
【００１２】
選択可能で、第１の態様の実現可能な方式において、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００１３】
選択可能で、第１の態様の実現可能な方式において、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００１４】
第２の態様として、本願の実施例はシステム情報の送信方法を提供し、
ネットワークデバイスにより送信された指示情報を受信することを含み、当該指示情報は、少なくとも１つの受信予定のシステム情報の各受信予定のシステム情報が第１のタイプのシステム情報又は第２のタイプのシステム情報であることを示し、又は、当該指示情報は、少なくとも１つのセルの各セルが端末デバイスのアクセスセルする又はアクセスすることができないアクセスセルであることを示し、
ここで、当該第１のタイプのシステム情報は、端末デバイスがセル発見を行うための情報を含み、当該第２のタイプのシステム情報は、端末デバイスがセルアクセスを行うための情報を含み、当該端末デバイスがアクセスセルすることができないシステム情報は、当該第１のタイプのシステム情報であり、当該端末デバイスがアクセスセルすることができるシステム情報は、当該第２のタイプのシステム情報である。
【００１５】
このように、本発明の実施例に係るシステム情報送信方法は、端末デバイスがネットワークデバイスから送信される指示情報を受信することによって、セルから送信されるシステム情報が第１のシステム情報であるか第２のシステム情報であるかを示すことができ、端末デバイスは指示情報に基づいて各セルのシステム情報のタイプを予め特定できるので、システム情報を意図的に受信することができ、システム情報の受信過程で発生するシグナリングオーバーヘッドを低減することができる。
【００１６】
選択可能で、第２の態様の実現可能な方式において、当該方法は、さらに、
当該ネットワークデバイスにより送信された当該少なくとも１つの予定受信のシステム情報を受信し、当該各予定受信のシステム情報が１つのセルに対応することと、
当該指示情報に基づいて、各セルに対応する当該受信予定のシステム情報が当該第１のタイプのシステム情報又は当該第２のタイプのシステム情報であると確定することとを含む。
【００１７】
選択可能で、第２の態様の実現可能な方式において、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００１８】
選択可能で、第２の態様の実現可能な方式において、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００１９】
選択可能で、第２の態様の実現可能な方式において、当該ネットワークデバイスにより送信された指示情報を受信することは、
物理放送チャネルＰＢＣＨを介して当該ネットワークデバイスにより送信された当該指示情報を受信することを含む。
【００２０】
第３の態様では、本願の実施例は、ネットワークデバイスを提供し、第１の態様または第１の態様の任意の実施態様における方法を実行するモジュールまたはユニットを含む。
【００２１】
第４の態様では、本願の実施例は、端末デバイスを提供し、第２の態様または第２の態様の任意の実施態様における方法を実行するモジュールまたはユニットを含む。
【００２２】
第５の態様は、プロセッサと、メモリと、通信インターフェースとを含むネットワークデバイスを提供する。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第１の態様または第１の態様の任意の可能な実装形態における方法を実行させる。
【００２３】
第６の態様では、プロセッサと、メモリと、通信インターフェースとを備える端末デバイスが提供される。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第２の態様または第２の態様の任意の可能な実装における方法を実行させる。
【００２４】
第７の態様は、コンピュータに、上記の第１の態様または第１の態様の可能な実施態様のいずれかにおける方法を実行するための命令を指示するためのプログラムコードを記憶したコンピュータ記憶媒体を提供する。
【００２５】
第８の態様は、コンピュータに、第２の態様または第２の態様の可能な実施態様のいずれかにおける方法を実行するための命令を指示するためのプログラムコードを記憶したコンピュータ記憶媒体を提供する。
【００２６】
第９の態様では、命令を含むコンピュータプログラム製品が提供され、コンピュータ上で実行されると、コンピュータに、上述の態様に記載の方法を実行させる。
【図面の簡単な説明】
【００２７】
【図１】本願の実施例の応用シーンの模式図である。
【図２】本願の実施例におけるシステム情報の送信方法のフローチャートである。
【図３】本願の実施例における他のシステム情報の送信方法のフローチャートである。
【図４】本願の実施例におけるネットワークデバイスのブロック図である。
【図５】本願の実施例における端末デバイスのブロック図である。
【図６】本願の実施例におけるシステム情報の送信デバイスのブロック図である。
【図７】本願の実施例におけるシステムチップのブロック図である。
【発明を実施するための形態】
【００２８】
以下、本願の実施例における技術的解決策を、本願の実施例における添付図面と併せて、明確かつ完全に説明する。
【００２９】
本願の実施例の技術的解決策は、例えば、全地球移動通信(Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ )システム、符号分割多元接続(Ｃｏｄｅ  Ｄｉｖｉｓｉｏｎ  Ｍｕｌｔｉｐｌｅ  Ａｃｃｅｓｓ：ＣＤＭＡ)システム、広帯域符号分割多元接続(Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ)システム、汎用パケット無線サービス(Ｇｅｎｅｒａｌ  Ｐａｃｋｅｔ  Ｒａｄｉｏ  Ｓｅｒｖｉｃｅ：ＧＰＲＳ)、ロングタームエボリューション(Ｌｏｎｇ  Ｔｅｒｍ  Ｅｖｏｌｕｔｉｏｎ：ＬＴＥ)システム、ＬＴＥ周波数分割複信(Ｆｒｅｑｕｅｎｃｙ  Ｄｉｖｉｓｉｏｎ  Ｄｕｐｌｅｘ：ＦＤＤ)システム、ＬＴＥ時分割複信(Ｔｉｍｅ  Ｄｉｖｉｓｉｏｎ  Ｄｕｐｌｅｘ：ＴＤＤ)、汎用移動通信システム(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ)、全地球相互接続マイクロ波アクセス(Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ )通信システム、又は将来の５Ｇシステム等の様々な通信システムに適用可能であることが理解されるべきである。
【００３０】
特に、本出願の実施例の技術的解決策は、スパースコード多元接続(Ｓｐａｒｓｅ  Ｃｏｄｅ  Ｍｕｌｔｉｐｌｅ  Ａｃｃｅｓｓ：ＳＣＭＡ)システム、低密度シグネチャ(Ｌｏｗ  Ｄｅｎｓｉｔｙ  Ｓｉｇｎａｔｕｒｅ：ＬＤＳ)システム等の様々な非直交多元接続技術に基づく通信システムに適用され得るが、ＳＣＭＡシステム及びLDＳシステムは、通信分野において別名としても知られてもよく、さらに、本願の実施例の技術的方式は、非直交多元接続技術を採用するマルチキャリア伝送システム、例えば、非直交多元接続技術を採用する直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ)、フィルタグループマルチキャリア(Ｆｉｌｔｅｒ  Ｂａｎｋ  Ｍｕｌｔｉ−Ｃａｒｒｉｅｒ：ＦＢＭＣ)、汎用周波数分割多重(Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：ＧＦＤＭ)、フィルタリング直交周波数分割多重(Ｆｉｌｔｅｒｅｄ−ＯＦＤＭ：Ｆ−ＯＦＤＭ)システム等に適用されてもよい。
【００３１】
本願の実施例における端末デバイスは、ユーザ装置(Ｕｓｅｒ Ｅｑｕｉｐｍｅｎｔ)、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ)電話、ワイヤレスローカルループ(Ｗｉｒｅｌｅｓｓ Ｌｏｃａｌ Ｌｏｏｐ：ＷＬＬ)局、パーソナルデジタル処理(Ｐｅｒｓｏｎａｌ Ｄｉｇｉｔａｌ Ａｓｓｉｓｔａｎｔ：ＰＤＡ)、ワイヤレス通信機能を有するハンドヘルドデバイス、コンピューティングデバイス、またはワイヤレスモデムに接続された他の処理デバイス、車載デバイス、ウェアラブルデバイス、将来の５Gネットワークにおける端末デバイス、または将来に発展する公共地上モバイル通信ネットワーク(Ｐｕｂｌｉｃ Ｌａｎｄ Ｍｏｂｉｌｅ Ｎｅｔｗｏｒｋ：ＰＬＭＮ)における端末デバイスなどであり得るが、本開示の実施例は限定されない。
【００３２】
本願の実施例におけるネットワークデバイスは、端末デバイスと通信するための装置であってもよく、該ネットワークデバイスは、ＧＳＭ又はＣＤＭＡにおける基地局(Ｂａｓｅ Ｔｒａｎｓｃｅｉｖｅｒ Ｓｔａｔｉｏｎ：ＢＴＳ)、ＷＣＤＭＡシステムにおける基地局(ＮｏｄｅＢ：ＮＢ)、ＬＴＥシステムにおける発展型基地局(Ｅｖｏｌｕｔｉｏｎａｌ ＮｏｄｅＢ  ｅＮＢ又はｅＮｏｄｅＢ )、クラウド無線アクセスネットワーク(Ｃｌｏｕｄ Ｒａｄｉｏ Ａｃｃｅｓｓ Ｎｅｔｗｏｒｋ：ＣＲＡＮ)シナリオにおける無線コントローラであってもよく、又は該ネットワークデバイスは、中継局、アクセスポイント、車載装置、ウェアラブル装置、及び将来の５Ｇネットワークにおけるネットワークデバイス、又は将来の発展型ＰＬＭＮネットワークにおけるネットワークデバイス等であってもよく、本願の実施例は限定されない。
【００３３】
図１は、本発明の一実施例に係る応用シーンの概略図である。図１の通信システムは、端末デバイス１０とネットワークデバイス２０とを含む。ネットワークデバイス２０は、端末デバイス１０に通信サービスを提供し、コアネットワークにアクセスするためのものであり、端末デバイス１０は、ネットワークデバイス２０により送信された同期信号やブロードキャスト信号等を検索することによりネットワークにアクセスし、ネットワークとの通信を行う。図１に示される矢印は、端末デバイス１０とネットワークデバイス２０との間のセルラーリンクを介した上り/下りの伝送を表すことができる。
【００３４】
選択可能で、ネットワークデバイス２０は、端末デバイス１０が常駐可能なセルと、常駐不可能なセルとを含みうる複数のセルを同時にカバーする。
【００３５】
選択可能で、本願の実施例において、ネットワークデバイス２０は、端末デバイス１０の常駐不能セルにおいて、第１のタイプのシステム情報を端末デバイス１０に送信してもよい。
【００３６】
選択可能で、第１のタイプのシステム情報は、公衆陸上移動通信網( Ｐｕｂｌｉｃ Ｌａｎｄ Ｍｏｂｉｌｅ Ｎｅｔｗｏｒｋ、ＰＬＭＮ )情報、トラッキングエリア( Ｔｒａｃｋｉｎｇ Ａｒｅａ、ＴＡ )情報、無線アクセスネットワーク領域( Ｒａｄｉｏ Ａｃｃｅｓｓ Ｎｅｔｗｏｒｋ ＡＲＥＡ、ＲＡＮ ＡＲＥＡ )情報、セル識別子( Ｉｄｅｎｔｉｔｙ、ＩＤ )、セルの同一周波数再選択の禁止／許可、及び許可するか否かのうちの少なくとも１つを含む。
【００３７】
例えば、当該第１のタイプのシステム情報に含まれる情報は、以下の情報又は情報の組合せであっても良い。
【００３８】
{ＰＬＭＮ情報}、{ＴＡ情報}、{ ＲＡＮ  ＡＲＥＡ情報}、{セルＩＤ}、{セルの禁止かどうか}、{同一周波数の再選択の許可するかどうか}、
{ ＰＬＭＮ情報、ＴＡ情報}、{ ＰＬＭＮ情報、ＲＡＮ  ＡＲＥＡ情報}、{ ＰＬＭＮ情報、セルＩＤ }、{ ＰＬＭＮ情報、セルの禁止かどうか}、{ ＰＬＭＮ情報、同一周波数の再選択の許可するかどうか}、
{ ＴＡ情報、ＲＡＮ  ＡＲＥＡ情報}、{ ＴＡ情報、セルＩＤ }、{ ＴＡ情報、セルの禁止かどうか}、{ ＴＡ情報、同一周波数の再選択の許可するかどうか}、
{ ＲＡＮ  ＡＲＥＡ情報、セルＩＤ }、{ ＲＡＮ  ＡＲＥＡ情報、セルの禁止かどうか}、{ ＲＡＮ  ＡＲＥＡ情報、同一周波数の再選択の許可するかどうか}、
{セルＩＤ、セルの禁止かどうか}、{セルＩＤ、同一周波数の再選択の許可するかどうか}、
{セルの同一周波数再選択の禁止／許可}、
{ ＰＬＭＮ情報、ＴＡ情報、ＲＡＮ  ＡＲＥＡ情報}、{ ＰＬＭＮ情報、ＴＡ情報、セルＩＤ }、{ ＰＬＭＮ情報、ＴＡ情報、セルの禁止かどうか}、{ ＰＬＭＮ情報、ＴＡ情報、同一周波数の再選択の許可するかどうか}、
{ ＰＬＭＮ情報、ＲＡＮ  ＡＲＥＡ情報、セルＩＤ }、{ ＰＬＭＮ情報、ＲＡＮ  ＡＲＥＡ情報、セルの禁止かどうか}、{ ＰＬＭＮ情報、ＲＡＮ  ＡＲＥＡ情報、同一周波数の再選択の許可するかどうか}、
{ ＰＬＭＮ情報、セルＩＤ、セルの禁止かどうか}、{ ＰＬＭＮ情報、セルＩＤ、同一周波数の再選択の許可するかどうか}、
{ ＰＬＭＮ情報、セルの同一周波数再選択の禁止／許可}、
{ＴＡ情報、ＲＡＮ  ＡＲＥＡ情報、セルＩＤ }、{ＴＡ情報、ＲＡＮ  ＡＲＥＡ情報、セルの禁止かどうか}、{ＴＡ情報、ＲＡＮ  ＡＲＥＡ情報、同一周波数の再選択の許可するかどうか}、
{ ＴＡ情報、セルＩＤ、セルの禁止かどうか}、{ ＴＡ情報、セルＩＤ、同一周波数の再選択の許可するかどうか}、
{ ＴＡ情報、セルの同一周波数再選択の禁止／許可}、
{ ＲＡＮ  ＡＲＥＡ情報、セルＩＤ、セルの禁止かどうか}、{ ＲＡＮ  ＡＲＥＡ情報、セルＩＤ、同一周波数の再選択の許可するかどうか}、
{ ＲＡＮ  ＡＲＥＡ情報、セルの同一周波数再選択の禁止／許可}、
{ ＰＬＭＮ情報、ＴＡ情報、ＲＡＮ  ＡＲＥＡ情報、セルＩＤ }、{ ＰＬＭＮ情報、ＴＡ情報、ＲＡＮ  ＡＲＥＡ情報、セルの禁止かどうか}、{ ＰＬＭＮ情報、ＴＡ情報、ＲＡＮ  ＡＲＥＡ情報、同一周波数の再選択の許可するかどうか}、
{ ＰＬＭＮ情報、ＲＡＮ  ＡＲＥＡ情報、セルＩＤ、セルの禁止かどうか}、{ ＰＬＭＮ情報、ＲＡＮ  ＡＲＥＡ情報、セルＩＤ、同一周波数の再選択の許可するかどうか}、
{ ＰＬＭＮ情報、セルＩＤ、セルの同一周波数再選択の禁止／許可}、
{ＴＡ情報、ＲＡＮ  ＡＲＥＡ情報、セルＩＤ、セルの禁止かどうか}、{ＴＡ情報、ＲＡＮ  ＡＲＥＡ情報、セルＩＤ、同一周波数の再選択の許可するかどうか}、
{ ＲＡＮ  ＡＲＥＡ情報、セルＩＤ、セルの同一周波数再選択の禁止／許可}、
{ ＰＬＭＮ情報、ＴＡ情報、ＲＡＮ  ＡＲＥＡ情報、セルＩＤ、セルの禁止かどうか}、{ ＰＬＭＮ情報、ＴＡ情報、ＲＡＮ  ＡＲＥＡ情報、セルＩＤ、同一周波数の再選択の許可するかどうか}、
{ ＰＬＭＮ情報、ＴＡ情報、ＲＡＮ  ＡＲＥＡ情報、セルＩＤ、セルの同一周波数再選択の禁止／許可}である。
【００３９】
選択可能で、本願の実施例において、ネットワークデバイス２０は、端末デバイスが常駐するセルで端末デバイス１０に第２のタイプのシステム情報を送信する。
【００４０】
選択可能で、当該第２のタイプのシステム情報は、公衆陸上移動通信網（Ｐｕｂｌｉｃ Ｌａｎｄ Ｍｏｂｉｌｅ Ｎｅｔｗｏｒｋ、ＰＬＭＮ）情報、トラッキングエリア（Ｔｒａｃｋｉｎｇ Ａｒｅａ、ＴＡ）情報、無線アクセスネットワーク領域（Ｒａｄｉｏ Ａｃｃｅｓｓ Ｎｅｔｗｏｒｋ ＡＲＥＡ、ＲＡＮ  ＡＲＥＡ）情報、セル識別子（Ｉｄｅｎｔｉｔｙ、ＩＤ）、セルの同一周波数再選択の禁止／許可、時分割複信（Ｔｉｍｅ Ｄｉｖｉｓｉｏｎ Ｄｕｐｌｅｘ、ＴＤＤ）構成、セル選択情報及び他のシステム情報のスケジューリング情報のうちの少なくとも１つの情報を含む。
【００４１】
任意選択で、第２のタイプのシステム情報は、セル選択の構成またはしきい値をさらに含み得る。
【００４２】
第２のタイプのシステム情報に含まれる情報は、上述した第１のタイプのシステム情報と同様に生成された情報又は情報の組み合わせであってもよく、簡潔のためにここでは説明を省略する。
【００４３】
本発明の実施例に係るシステム情報送信方法は、ハードウェア層と、ハードウェア層上で動作するオペレーティングシステム層と、オペレーティングシステム層上で動作するアプリケーション層とを含む端末デバイスに適用されてもよい。このハードウェア層は、中央処理装置( Ｃｅｎｔｒａｌ Ｐｒｏｃｅｓｓｉｎｇ Ｕｎｉｔ、ＣＰＵ )、メモリ管理ユニット( ＭＭＵ、Ｍｅｍｏｒｙ Ｍａｎａｇｅｍｅｎｔ Ｕｎｉｔ )、メモリ(主記憶ともいう)などのハードウェアを含む。オペレーティングシステムは、プロセスを介してビジネスプロセスを実装する１つ以上のコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はｗｉｎｄｏｗｓオペレーティングシステム等であってよい。このアプリケーション層は、ブラウザ、アドレス帳、ワープロソフト、インスタントメッセンジャー等のアプリケーションを含む。
【００４４】
本発明の実施例に係るシステム情報送信方法は、アクセスネットワークデバイスでもよいし、データネットワーク、いわゆるコアネットワークでもよいネットワークデバイスに適用することができる。
【００４５】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００４６】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４７】
図２は本願の実施例におけるシステム情報の送信方法２００のフローチャートである。図２に示すように、当該方法２００がネットワークデバイスにより実行され、当該ネットワークデバイスは、図１のネットワークデバイスであっても良く、当該方法２００の端末デバイスは、図１に示す端末デバイスであり、当該方法２００は２１０を含む。
【００４８】
２１０において、端末デバイスがセル発見を行うための第１のタイプのシステム情報を送信し、当該第１のタイプのシステム情報は、当該端末デバイスが常駐することができないセルのシステム情報である。
【００４９】
なお、各セルが１つのシステム情報に対応する。
【００５０】
なお、端末デバイスは、常駐不可能セルにおいて、例えば、オートネイバー関係( Ａｕｔｏ Ｎｅｉｇｈｂｏｒ Ｒｅｌａｔｉｏｎｓｈｉｐ、ＡＮＲ )を取得し、セル発見を行う。
【００５１】
選択可能で、ネットワークデバイスは、端末デバイスの常駐可能セルと端末デバイス常駐不可セルと区別することができる。
【００５２】
なお、ネットワークデバイスは端末デバイスに当該第１のタイプのシステム情報を送信する。
【００５３】
選択可能で、ネットワークデバイスが端末デバイスの常駐不可セルで端末デバイスに当該第１のタイプのシステム情報を送信する。
【００５４】
選択可能で、ネットワークデバイスは、物理下り共有チャネル（ｐｈｙｓｉｃａｌ Ｄｏｗｎｌｉｎｋ Ｓｈａｒｅｄ Ｃｈａｎｎｅｌ、ＰＤＳＣＨ）を介して端末デバイスに当該第１のタイプのシステム情報を送信する。
【００５５】
選択可能で、当該第１のタイプのシステム情報は、ＰＬＭＮ情報、ＴＡ情報、ＲＡＮ  ＡＲＥＡ情報、セルＩＤ、セルの同一周波数再選択の禁止／許可のうちの少なくとも１つを含む。
【００５６】
選択可能で、セルＩＤは、グローバルセルラー識別子（Ｇｌｏｂａｌ Ｃｅｌｌｕｌａｒ Ｉｄｅｎｔｉｔｙ、ＧＣＩ）であっても良い。
【００５７】
選択可能で、当該方法２００は、さらに、
当該端末デバイスがセルアクセスを行うための第２のタイプのシステム情報を送信することを含み、当該第２のタイプのシステム情報は、当該端末デバイスが常駐することができるセルのシステム情報である。
【００５８】
なお、端末デバイスは、常駐することができるセルでセルアクセスを行い、例えば、端末デバイスは、常駐可能なセルをハンドオーバーすることができる。
【００５９】
なお、当該ネットワークデバイスが当該端末デバイスに当該第２のタイプのシステム情報を送信する。
【００６０】
選択可能で、ネットワークデバイスは、ＰＤＳＣＨを介して端末デバイスに当該第２のタイプのシステム情報を送信する。
【００６１】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、ＴＤＤ構成、セル選択情報及び他のシステム情報のスケジューリング情報のうちの少なくとも１つの情報を含む。
【００６２】
選択可能で、当該第２のタイプのシステム情報は、セル選択の構成又は閾値を含む。
【００６３】
選択可能で、ネットワークデバイスが端末デバイスに当該第１のタイプのシステム情報及び／又は当該第２のタイプのシステム情報を送信する前に、当該方法２００は、さらに
当該端末デバイスに指示情報を送信することを含み、当該指示情報は、送信するシステム情報が当該第１のタイプのシステム情報及び／又は当該第２のタイプのシステム情報であることを示す。
【００６４】
選択可能で、ネットワークデバイスが端末デバイスに当該第１のタイプのシステム情報及び／又は当該第２のタイプのシステム情報を送信する前に、当該方法２００は、さらに、
当該端末デバイスに指示情報を送信することを含み、当該指示情報は、送信するシステム情報に対応するセルが常駐不可セル及び／又は常駐可能セルであることを示す。
【００６５】
なお、ネットワークデバイスにより送信するシステム情報は、第１のタイプのシステム情報のみを含んでも良いし、第２のタイプのシステム情報のみを含んでも良いし、第１のタイプのシステム情報と第２のタイプのシステム情報を含んでも良い。
【００６６】
なお、ネットワークデバイスにより送信するシステム情報に対応するセルは、常駐不可セルのみを含んでも良いし、常駐可能セルを含んでも良いし、常駐不可セル及び常駐可能セルを含んでも良い。
【００６７】
選択可能で、当該端末デバイスが当該指示情報を受信した後、当該指示情報を介してネットワークデバイスの以降に各セルで送信したシステム情報が当該第１のタイプのシステム情報又は当該第２のタイプのシステム情報であるかを確定し、適切なセルのシステム情報を積極的に取得することができる。
【００６８】
選択可能で、当該指示情報は、物理放送チャネルを介して送信するシステム情報に搬送しても良い。
【００６９】
選択可能で、物理放送チャネル（Ｐｈｙｓｉｃａｌ Ｂｒｏａｄｃａｓｔ Ｃｈａｎｎｅｌ、ＰＢＣＨ）を介して当該端末デバイスに当該指示情報を送信する。
【００７０】
このように、本発明の実施例に係るシステム情報送信方法は、ネットワークデバイスが端末デバイスの常駐不可セルで端末デバイスのセル発見を実現するための第１種のシステム情報を送信することによって、第１種のシステム情報にはセル発見を行うために必要な情報のみを含めることができ、システム情報の送信に不必要なシグナリングオーバーヘッドが生じることを回避することができる。
【００７１】
さらに、ネットワークデバイスは、端末デバイスのセルアクセスを可能にするための第２のシステム情報を端末デバイスの常駐可能セルで送信するので、端末デバイスの常駐可能セルと端末デバイスのキャンプオン不可能セルとでそれぞれ異なるシステム情報を設定することができ、システム情報を最適化することができる。
【００７２】
さらに、ネットワークデバイスは、セルで送信するシステム情報が第１のシステム情報であるか第２のシステム情報であるかを示す指示情報を端末デバイスに送信するので、端末デバイスは、指示情報に基づいて各セルのシステム情報のタイプを予め判断することができ、システム情報を意図的に受信することができ、システム情報の受信に伴うシグナリングオーバーヘッドを削減することができる。
【００７３】
図３は、本願の実施例におけるシステム情報の送信方法３００のフローチャートである。図３に示すように、当該方法３００が端末デバイスに実行され、当該端末デバイスは、図１の端末デバイスであり、当該方法３００のネットワークデバイスは図１のネットワークデバイスであり、当該方法３００は、３１０を含む。
【００７４】
３１０において、ネットワークデバイスにより送信された指示情報を受信し、当該指示情報は、少なくとも１つの受信予定のシステム情報の各受信予定のシステム情報が第１のタイプのシステム情報又は第２のタイプのシステム情報であることを示し、又は、当該指示情報は、少なくとも１つのセルの各セルが端末デバイスアクセス可能セル又はアクセス不可セルであることを示す。
【００７５】
ここで、当該第１のタイプのシステム情報は、端末デバイスがセル発見を行うための情報を含み、当該第２のタイプのシステム情報は、端末デバイスがセルアクセスを行うための情報を含み、当該端末デバイスのアクセス不可セルのシステム情報は、当該第１のタイプのシステム情報であり、当該端末デバイスのアクセス可能セルのシステム情報は、当該第２のタイプのシステム情報である。
【００７６】
選択可能で、当該第１のタイプのシステム情報は、ＰＬＭＮ情報、ＴＡ情報、ＲＡＮ  ＡＲＥＡ情報、セルＩＤ、セルの同一周波数再選択の禁止／許可のうちの少なくとも１つの情報を含む。
【００７７】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、ＴＤＤ構成、セル選択情報及び他のシステム情報のスケジューリング情報のうちの少なくとも１つの情報を含む。
【００７８】
当該方法３００は、さらに
当該ネットワークデバイスにより送信された当該少なくとも１つの受信予定のシステム情報を受信することを含み、当該各受信予定のシステム情報が１つのセルに対応し、
当該指示情報に基づいて、各セルに対応する当該受信予定のシステム情報が当該第１のタイプのシステム情報又は当該第２のタイプのシステム情報であると確定する。
【００７９】
選択可能で、端末デバイスがＰＢＣＨを介して当該ネットワークデバイスにより送信された当該指示情報を受信する。
【００８０】
なお、システム情報を送信する方法３００におけるステップは、システム情報を送信する方法２００における対応するステップの説明を参照してもよく、簡潔のためにここでは詳しい説明を省略することを理解されたい。
【００８１】
このように、本発明の実施例に係るシステム情報送信方法は、端末デバイスがネットワークデバイスから送信される指示情報を受信することによって、セルから送信されるシステム情報が第１のシステム情報であるか第２のシステム情報であるかを示すことができ、端末デバイスは指示情報に基づいて各セルのシステム情報のタイプを予め特定できるので、システム情報を意図的に受信することができ、システム情報の受信過程で発生するシグナリングオーバーヘッドを低減することができる。
【００８２】
図４は、本願の実施例のおけるネットワークデバイス４００のブロックである。図４に示すように、当該ネットワークデバイス４００は、送信ユニット４１０を含む。
【００８３】
送信ユニット４１０は、端末デバイスがセル発見を行うための第１のタイプのシステム情報を送信するように構成され、当該第１のタイプのシステム情報は、当該端末デバイスが常駐することができないセルのシステム情報である。
【００８４】
選択可能で、当該送信ユニット４１０は、さらに、当該端末デバイスがセルアクセスを行うための第２のタイプのシステム情報を送信するように構成され、当該第２のタイプのシステム情報は、当該端末デバイスが常駐することができるセルのシステム情報である。
【００８５】
選択可能で、当該送信ユニット４１０が当該第１のタイプのシステム情報及び／又は当該第２のタイプのシステム情報を送信する前に、当該送信ユニット４１０は、さらに、当該端末デバイスに指示情報を送信するように構成され、当該指示情報は、送信するシステム情報が当該第１のタイプのシステム情報及び／又は当該第２のタイプのシステム情報であり、又は、送信するシステム情報に対応するセルが常駐不可セル及び／又は常駐可能セルであることを示す。
【００８６】
選択可能で、当該送信ユニット４１０は、さらに、物理放送チャネルＰＢＣＨを介して当該端末デバイスに当該指示情報を送信するように構成される。
【００８７】
選択可能で、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００８８】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００８９】
本発明の実施例によるネットワークデバイス４００における様々なモジュールの上記及び他の動作及び/又は機能は、それぞれ、図２の方法２００におけるネットワークデバイスの対応するフローを実施するために、簡潔のためにここでは繰り返し説明しないことを理解されたい。
【００９０】
図５は本願の実施例における端末デバイス５００のブロック図である。図５に示すように、当該端末デバイス５００は、受信ユニット５１０を含む。
【００９１】
受信ユニット５１０は、ネットワークデバイスにより送信された指示情報を受信するように構成され、当該指示情報は、少なくとも１つの受信予定のシステム情報の各受信予定のシステム情報が第１のタイプのシステム情報又は第２のタイプのシステム情報であることを示し、又は、当該指示情報は、少なくとも１つのセルの各セルが端末デバイスアクセス可能セル又はアクセス不可セルであることを示す、
ここで、当該第１のタイプのシステム情報は、端末デバイスがセル発見を行うための情報を含み、当該第２のタイプのシステム情報は、端末デバイスがセルアクセスを行うための情報を含み、当該端末デバイスのアクセス不可セルのシステム情報は、当該第１のタイプのシステム情報であり、当該端末デバイスのアクセス可能セルシステム情報は、当該第２のタイプのシステム情報である。
【００９２】
選択可能で、当該端末デバイス５００は、さらに、当該受信ユニット５１０を含む。
【００９３】
当該受信ユニット５１０は、さらに、当該ネットワークデバイスにより送信された当該少なくとも１つの受信予定のシステム情報を受信するように構成され、当該各受信予定のシステム情報が１つのセルに対応する、
確定ユニット５２０は、当該指示情報に基づいて、各セルに対応する当該受信予定のシステム情報が当該第１のタイプのシステム情報又は当該第２のタイプのシステム情報であると確定するように構成される。
【００９４】
選択可能で、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００９５】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００９６】
選択可能で、当該受信ユニット５１０は、さらに、物理放送チャネルＰＢＣＨを介して当該ネットワークデバイスにより送信された当該指示情報を受信するように構成される。
【００９７】
本発明の実施例による端末デバイス５００の各モジュールの上記及び他の動作及び/又は機能は、それぞれ、図３の方法３００における端末デバイスの対応するフローを実施するために、簡潔のためにここでは繰り返し説明しないことを理解されたい。
【００９８】
図６は、本発明の実施例によるシステム情報を送信する装置６００の概略ブロック図を示し、デバイス６００は、
コードを含むプログラムを記憶するためのメモリ６１０と、
他の装置と通信するための送受信器６２０と、
メモリ６１０内のプログラムコードを実行するために使用されるプロセッサ６３０とを含む。
【００９９】
任意選択で、コードが実行されると、プロセッサ６３０は、図２の方法２００においてネットワークデバイスによって実行される様々な動作を実施してもよく、簡潔のためにここでは詳しい説明を省略する。この場合、該デバイス６００は、アクセスネットワークデバイスであってもよいし、コアネットワークデバイスであってもよい。送受信器６２０は、プロセッサ６３０の駆動の下で特定の信号の送受信を実行するために用いられる。
【０１００】
選択可能で、コードが実行されると、プロセッサ６３０は、図３の方法３００において端末デバイスによって実行される様々な動作を実施することもできるが、簡潔のためにここでは詳しい説明を省略する。この場合、装置６００は、例えば携帯電話などの端末デバイスであってもよい。
【０１０１】
本発明の実施例において、プロセッサ６３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１０２】
メモリ６１０は、読み出し専用メモリおよびランダムアクセスメモリを含み得、プロセッサ６３０に命令およびデータを提供し得る。メモリ６１０の一部は、不揮発性ランダムアクセスメモリも含み得る。例えば、メモリ６１０は、デバイスタイプの情報をさらに記憶することができる。
【０１０３】
トランシーバ６２０は、周波数変調および復調機能またはアップコンバートおよびダウンコンバート機能などの信号送信および受信機能を実装するために使用され得る。
【０１０４】
実装の過程で、方法の少なくとも１つのステップは、プロセッサ６３０内のハードウェアの集積論理回路によって達成されてもよく、または、集積論理回路は、ソフトウェアの形態の命令駆動の下で少なくとも１つのステップを実施してもよい。従って、システム情報を送信する装置６００は、チップであってもよいし、チップセットであってもよい。本願の実施例に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに存在し、プロセッサ６３０は、メモリ内の情報を読み出し、ハードウェアとともに上述した方法のステップを実行する。重複を避けるため、ここでは詳細な説明は省略する。
【０１０５】
図７は、本発明の実施例に係るシステムチップ７００の概略構成図である。図７のシステムチップ７００は、入力インターフェース７０１、出力インターフェース７０２、メモリ７０４内のコードを実行するプロセッサ７０３、及びメモリ７０４を、内部通信接続線を介して接続することができる。
【０１０６】
任意選択で、コードが実行されると、プロセッサ７０３は、方法の実施例においてネットワークデバイスによって実行される方法を実施する。簡潔にするために、ここでは繰り返し説明しない。
【０１０７】
任意選択で、コードが実行されると、プロセッサ７０３は、方法の実施例において端末デバイスによって実行される方法を実施する。簡潔にするために、ここでは繰り返し説明しない。
【０１０８】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施例に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( ＤＳＬ ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ ( ＳＳＤ ) )などであってもよい。
【０１０９】
本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではないことを理解されたい。
【０１１０】
当業者であれば、説明の便宜及び簡潔にするために、上記に説明されたシステム、装置及びユニットの具体的な動作プロセスは、前述の方法の実施例における対応するプロセスを参照してもよく、ここでその説明が省略されることを理解するであろう。
【０１１１】
以上、本発明の具体的な実施例について説明したが、本発明の技術的範囲はこれに限定されるものではなく、本発明の技術的範囲に属する全ての変形や変更が本発明の技術的範囲に含まれることは当業者にとって明らかである。したがって、本発明の保護範囲は、特許請求の範囲の保護範囲に準ずるものとする。
【図１】
2020532151.tif 000003
【図２】
2020532151.tif 000004
【図３】
2020532151.tif 000005
【図４】
2020532151.tif 000006
【図５】
2020532151.tif 000007
【図６】
2020532151.tif 000008
【図７】
2020532151.tif 000009
【手続補正書】
【提出日】令和2年6月29日(2020.6.29)
【手続補正１】
【補正対象書類名】明細書
【補正対象項目名】全文
【補正方法】変更
【補正の内容】
【発明の詳細な説明】
【技術分野】
【０００１】
本願は、通信分野に関し、具体的に、システム情報の送信方法、ネットワークデバイス及び端末デバイスに関する。
【背景技術】
【０００２】
５Ｇ通信システムにおいて、ネットワーク内のセルは、端末デバイスが常駐することができるセルと、端末デバイスが常駐することができないセル(例えば、禁止セル( Ｂａｒｒｅｄ Ｃｅｌｌ )、非独立に動作するセルなど)とに分けられてもよい。この段階で、ネットワークデバイスは、双方のセルで同一のシステム情報を送信する。しかしながら、端末デバイスが常駐することができないセルに対して、端末デバイスが常駐することができるセルと同じシステム情報を送信することは、いくつかの不必要な情報(例えば、セル選択情報、他のシステム情報のスケジューリング情報など)を送信し、さらに、不必要なシグナリングオーバーヘッドを生じさせる。
【０００３】
したがって、端末デバイスが常駐することができないセルでシステム情報を送信する際に、不要なシグナリングオーバーヘッドをどのように回避するかが、解決すべき課題である。
【発明の概要】
【０００４】
本発明の実施例は、端末デバイスがセル発見を行うための第１のシステム情報を、常駐することができないセルで送信するとともに、端末デバイスがセルアクセスを行うための第２のシステム情報を、常駐することができるセルで送信し、さらに、セル送信のシステム情報が第１のシステム情報であるか第２のシステム情報であるかを示す情報を端末デバイスに送信することにより、システム情報の送受信における不要なシグナリングオーバーヘッドの発生を回避するシステム情報送信方法、ネットワークデバイス及び端末デバイスを提供する。
【０００５】
第１の態様として、本願の実施例は、システム情報の送信方法を提供し、
端末デバイスがセル発見を行うための第１のタイプのシステム情報を送信することを含み、当該第１のタイプのシステム情報は、当該端末デバイスが常駐することができないセルのシステム情報である。
【０００６】
このように、本発明の実施例に係るシステム情報の送信方法は、ネットワークデバイスが端末デバイスの常駐不可セルで端末デバイスのセル発見を実現するための第１タイプのシステム情報を送信することによって、第１タイプのシステム情報にはセル発見を行うために必要な情報のみを含めることができ、システム情報の送信に不必要なシグナリングオーバーヘッドが生じることを回避することができる。
【０００７】
選択可能で、第１の態様の実現可能な方式において、当該方法は、さらに、
当該端末デバイスがセルアクセスを行うための第２のタイプのシステム情報を送信することを含み、当該第２のタイプのシステム情報は、当該端末デバイスが常駐することができるセルのシステム情報である。
【０００８】
このように、本発明の実施例に係るシステム情報送信方法では、ネットワークデバイスが、端末デバイスが常駐することができるセルで端末デバイスのセルアクセスを実現するための第２のシステム情報を送信するので、端末デバイスの常駐することができるセルと、端末デバイスの常駐することができないセルと、それぞれ異なるシステム情報を設定することができ、システム情報を最適化することができる。
【０００９】
選択可能で、第１の態様の実現可能な方式において、当該第１のタイプのシステム情報及び／又は当該第２のタイプのシステム情報を送信する前に、当該方法は、さらに、
当該端末デバイスに情報を送信し、当該情報は、送信するシステム情報が当該第１のタイプのシステム情報及び／又は当該第２のタイプのシステム情報であることを示し、又は、
当該情報は、送信するシステム情報に対応するセルが常駐することができないセル及び／又は常駐することができる常駐セルを示す。
【００１０】
このように、本発明の実施例に係るシステム情報送信方法は、ネットワークデバイスが端末デバイスに情報を送信し、セルが送信するシステム情報が第１のシステム情報であるか第２のシステム情報であるかを示すことによって、端末デバイスが情報に応じて各セルのシステム情報のタイプを予め確定することができるので、システム情報を意図的に受信することができ、システム情報の受信過程で生じるシグナリングオーバーヘッドを低減することができる。
【００１１】
選択可能で、第１の態様の実現可能な方式において、当該端末デバイスに情報を送信することは、
物理放送チャネルＰＢＣＨを介して当該端末デバイスに当該情報を送信することを含む。
【００１２】
選択可能で、第１の態様の実現可能な方式において、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００１３】
選択可能で、第１の態様の実現可能な方式において、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００１４】
第２の態様として、本願の実施例はシステム情報の送信方法を提供し、
ネットワークデバイスにより送信された情報を受信することを含み、当該情報は、少なくとも１つの受信予定のシステム情報の各受信予定のシステム情報が第１のタイプのシステム情報又は第２のタイプのシステム情報であることを示し、又は、当該情報は、少なくとも１つのセルの各セルが端末デバイスのアクセスセルする又はアクセスすることができないアクセスセルであることを示し、
ここで、当該第１のタイプのシステム情報は、端末デバイスがセル発見を行うための情報を含み、当該第２のタイプのシステム情報は、端末デバイスがセルアクセスを行うための情報を含み、当該端末デバイスがアクセスセルすることができないシステム情報は、当該第１のタイプのシステム情報であり、当該端末デバイスがアクセスセルすることができるシステム情報は、当該第２のタイプのシステム情報である。
【００１５】
このように、本発明の実施例に係るシステム情報送信方法は、端末デバイスがネットワークデバイスから送信される情報を受信することによって、セルから送信されるシステム情報が第１のシステム情報であるか第２のシステム情報であるかを示すことができ、端末デバイスは情報に基づいて各セルのシステム情報のタイプを予め特定できるので、システム情報を意図的に受信することができ、システム情報の受信過程で発生するシグナリングオーバーヘッドを低減することができる。
【００１６】
選択可能で、第２の態様の実現可能な方式において、当該方法は、さらに、
当該ネットワークデバイスにより送信された当該少なくとも１つの予定受信のシステム情報を受信し、当該各予定受信のシステム情報が１つのセルに対応することと、
当該情報に基づいて、各セルに対応する当該受信予定のシステム情報が当該第１のタイプのシステム情報又は当該第２のタイプのシステム情報であると確定することとを含む。
【００１７】
選択可能で、第２の態様の実現可能な方式において、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００１８】
選択可能で、第２の態様の実現可能な方式において、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００１９】
選択可能で、第２の態様の実現可能な方式において、当該ネットワークデバイスにより送信された情報を受信することは、
物理放送チャネルＰＢＣＨを介して当該ネットワークデバイスにより送信された当該情報を受信することを含む。
【００２０】
第３の態様では、本願の実施例は、ネットワークデバイスを提供し、第１の態様または第１の態様の任意の実施態様における方法を実行するモジュールまたはユニットを含む。
【００２１】
第４の態様では、本願の実施例は、端末デバイスを提供し、第２の態様または第２の態様の任意の実施態様における方法を実行するモジュールまたはユニットを含む。
【００２２】
第５の態様は、プロセッサと、メモリと、通信インターフェースとを含むネットワークデバイスを提供する。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第１の態様または第１の態様の任意の可能な実装形態における方法を実行させる。
【００２３】
第６の態様では、プロセッサと、メモリと、通信インターフェースとを備える端末デバイスが提供される。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第２の態様または第２の態様の任意の可能な実装における方法を実行させる。
【００２４】
第７の態様は、コンピュータに、上記の第１の態様または第１の態様の可能な実施態様のいずれかにおける方法を実行するための命令を指示するためのプログラムコードを記憶したコンピュータ記憶媒体を提供する。
【００２５】
第８の態様は、コンピュータに、第２の態様または第２の態様の可能な実施態様のいずれかにおける方法を実行するための命令を指示するためのプログラムコードを記憶したコンピュータ記憶媒体を提供する。
【００２６】
第９の態様では、命令を含むコンピュータプログラム製品が提供され、コンピュータ上で実行されると、コンピュータに、上述の態様に記載の方法を実行させる。
【図面の簡単な説明】
【００２７】
【図１】本願の実施例の応用シーンの模式図である。
【図２】本願の実施例におけるシステム情報の送信方法のフローチャートである。
【図３】本願の実施例における他のシステム情報の送信方法のフローチャートである。
【図４】本願の実施例におけるネットワークデバイスのブロック図である。
【図５】本願の実施例における端末デバイスのブロック図である。
【図６】本願の実施例におけるシステム情報の送信デバイスのブロック図である。
【図７】本願の実施例におけるシステムチップのブロック図である。
【発明を実施するための形態】
【００２８】
以下、本願の実施例における技術的解決策を、本願の実施例における添付図面と併せて、明確かつ完全に説明する。
【００２９】
本願の実施例の技術的解決策は、例えば、全地球移動通信(Ｇｌｏｂａｌ  Ｓｙｓｔｅｍ  ｏｆ  Ｍｏｂｉｌｅ  ｃｏｍｍｕｎｉｃａｔｉｏｎ：ＧＳＭ )システム、符号分割多元接続(Ｃｏｄｅ  Ｄｉｖｉｓｉｏｎ  Ｍｕｌｔｉｐｌｅ  Ａｃｃｅｓｓ：ＣＤＭＡ)システム、広帯域符号分割多元接続(Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ)システム、汎用パケット無線サービス(Ｇｅｎｅｒａｌ  Ｐａｃｋｅｔ  Ｒａｄｉｏ  Ｓｅｒｖｉｃｅ：ＧＰＲＳ)、ロングタームエボリューション(Ｌｏｎｇ  Ｔｅｒｍ  Ｅｖｏｌｕｔｉｏｎ：ＬＴＥ)システム、ＬＴＥ周波数分割複信(Ｆｒｅｑｕｅｎｃｙ  Ｄｉｖｉｓｉｏｎ  Ｄｕｐｌｅｘ：ＦＤＤ)システム、ＬＴＥ時分割複信(Ｔｉｍｅ  Ｄｉｖｉｓｉｏｎ  Ｄｕｐｌｅｘ：ＴＤＤ)、汎用移動通信システム(Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ)、全地球相互接続マイクロ波アクセス(Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ )通信システム、又は将来の５Ｇシステム等の様々な通信システムに適用可能であることが理解されるべきである。
【００３０】
特に、本出願の実施例の技術的解決策は、スパースコード多元接続(Ｓｐａｒｓｅ  Ｃｏｄｅ  Ｍｕｌｔｉｐｌｅ  Ａｃｃｅｓｓ：ＳＣＭＡ)システム、低密度シグネチャ(Ｌｏｗ  Ｄｅｎｓｉｔｙ  Ｓｉｇｎａｔｕｒｅ：ＬＤＳ)システム等の様々な非直交多元接続技術に基づく通信システムに適用され得るが、ＳＣＭＡシステム及びLDＳシステムは、通信分野において別名としても知られてもよく、さらに、本願の実施例の技術的方式は、非直交多元接続技術を採用するマルチキャリア伝送システム、例えば、非直交多元接続技術を採用する直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ)、フィルタグループマルチキャリア(Ｆｉｌｔｅｒ  Ｂａｎｋ  Ｍｕｌｔｉ−Ｃａｒｒｉｅｒ：ＦＢＭＣ)、汎用周波数分割多重(Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ：ＧＦＤＭ)、フィルタリング直交周波数分割多重(Ｆｉｌｔｅｒｅｄ−ＯＦＤＭ：Ｆ−ＯＦＤＭ)システム等に適用されてもよい。
【００３１】
本願の実施例における端末デバイスは、ユーザ装置(Ｕｓｅｒ Ｅｑｕｉｐｍｅｎｔ)、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ)電話、ワイヤレスローカルループ(Ｗｉｒｅｌｅｓｓ Ｌｏｃａｌ Ｌｏｏｐ：ＷＬＬ)局、パーソナルデジタル処理(Ｐｅｒｓｏｎａｌ Ｄｉｇｉｔａｌ Ａｓｓｉｓｔａｎｔ：ＰＤＡ)、ワイヤレス通信機能を有するハンドヘルドデバイス、コンピューティングデバイス、またはワイヤレスモデムに接続された他の処理デバイス、車載デバイス、ウェアラブルデバイス、将来の５Gネットワークにおける端末デバイス、または将来に発展する公共地上モバイル通信ネットワーク(Ｐｕｂｌｉｃ Ｌａｎｄ Ｍｏｂｉｌｅ Ｎｅｔｗｏｒｋ：ＰＬＭＮ)における端末デバイスなどであり得るが、本開示の実施例は限定されない。
【００３２】
本願の実施例におけるネットワークデバイスは、端末デバイスと通信するための装置であってもよく、該ネットワークデバイスは、ＧＳＭ又はＣＤＭＡにおける基地局(Ｂａｓｅ Ｔｒａｎｓｃｅｉｖｅｒ Ｓｔａｔｉｏｎ：ＢＴＳ)、ＷＣＤＭＡシステムにおける基地局(ＮｏｄｅＢ：ＮＢ)、ＬＴＥシステムにおける発展型基地局(Ｅｖｏｌｕｔｉｏｎａｌ ＮｏｄｅＢ  ｅＮＢ又はｅＮｏｄｅＢ )、クラウド無線アクセスネットワーク(Ｃｌｏｕｄ Ｒａｄｉｏ Ａｃｃｅｓｓ Ｎｅｔｗｏｒｋ：ＣＲＡＮ)シナリオにおける無線コントローラであってもよく、又は該ネットワークデバイスは、中継局、アクセスポイント、車載装置、ウェアラブル装置、及び将来の５Ｇネットワークにおけるネットワークデバイス、又は将来の発展型ＰＬＭＮネットワークにおけるネットワークデバイス等であってもよく、本願の実施例は限定されない。
【００３３】
図１は、本発明の一実施例に係る応用シーンの概略図である。図１の通信システムは、端末デバイス１０とネットワークデバイス２０とを含む。ネットワークデバイス２０は、端末デバイス１０に通信サービスを提供し、コアネットワークにアクセスするためのものであり、端末デバイス１０は、ネットワークデバイス２０により送信された同期信号やブロードキャスト信号等を検索することによりネットワークにアクセスし、ネットワークとの通信を行う。図１に示される矢印は、端末デバイス１０とネットワークデバイス２０との間のセルラーリンクを介した上り/下りの伝送を表すことができる。
【００３４】
選択可能で、ネットワークデバイス２０は、端末デバイス１０が常駐可能なセルと、常駐不可能なセルとを含みうる複数のセルを同時にカバーする。
【００３５】
選択可能で、本願の実施例において、ネットワークデバイス２０は、端末デバイス１０の常駐不能セルにおいて、第１のタイプのシステム情報を端末デバイス１０に送信してもよい。
【００３６】
選択可能で、第１のタイプのシステム情報は、公衆陸上移動通信網( Ｐｕｂｌｉｃ Ｌａｎｄ Ｍｏｂｉｌｅ Ｎｅｔｗｏｒｋ、ＰＬＭＮ )情報、トラッキングエリア( Ｔｒａｃｋｉｎｇ Ａｒｅａ、ＴＡ )情報、無線アクセスネットワーク領域( Ｒａｄｉｏ Ａｃｃｅｓｓ Ｎｅｔｗｏｒｋ ＡＲＥＡ、ＲＡＮ ＡＲＥＡ )情報、セル識別子( Ｉｄｅｎｔｉｔｙ、ＩＤ )、セルの同一周波数再選択の禁止／許可、及び許可するか否かのうちの少なくとも１つを含む。
【００３７】
例えば、当該第１のタイプのシステム情報に含まれる情報は、以下の情報又は情報の組合せであっても良い。
【００３８】
{ＰＬＭＮ情報}、{ＴＡ情報}、{ ＲＡＮ  ＡＲＥＡ情報}、{セルＩＤ}、{セルの禁止かどうか}、{同一周波数の再選択の許可するかどうか}、
{ ＰＬＭＮ情報、ＴＡ情報}、{ ＰＬＭＮ情報、ＲＡＮ  ＡＲＥＡ情報}、{ ＰＬＭＮ情報、セルＩＤ }、{ ＰＬＭＮ情報、セルの禁止かどうか}、{ ＰＬＭＮ情報、同一周波数の再選択の許可するかどうか}、
{ ＴＡ情報、ＲＡＮ  ＡＲＥＡ情報}、{ ＴＡ情報、セルＩＤ }、{ ＴＡ情報、セルの禁止かどうか}、{ ＴＡ情報、同一周波数の再選択の許可するかどうか}、
{ ＲＡＮ  ＡＲＥＡ情報、セルＩＤ }、{ ＲＡＮ  ＡＲＥＡ情報、セルの禁止かどうか}、{ ＲＡＮ  ＡＲＥＡ情報、同一周波数の再選択の許可するかどうか}、
{セルＩＤ、セルの禁止かどうか}、{セルＩＤ、同一周波数の再選択の許可するかどうか}、
{セルの同一周波数再選択の禁止／許可}、
{ ＰＬＭＮ情報、ＴＡ情報、ＲＡＮ  ＡＲＥＡ情報}、{ ＰＬＭＮ情報、ＴＡ情報、セルＩＤ }、{ ＰＬＭＮ情報、ＴＡ情報、セルの禁止かどうか}、{ ＰＬＭＮ情報、ＴＡ情報、同一周波数の再選択の許可するかどうか}、
{ ＰＬＭＮ情報、ＲＡＮ  ＡＲＥＡ情報、セルＩＤ }、{ ＰＬＭＮ情報、ＲＡＮ  ＡＲＥＡ情報、セルの禁止かどうか}、{ ＰＬＭＮ情報、ＲＡＮ  ＡＲＥＡ情報、同一周波数の再選択の許可するかどうか}、
{ ＰＬＭＮ情報、セルＩＤ、セルの禁止かどうか}、{ ＰＬＭＮ情報、セルＩＤ、同一周波数の再選択の許可するかどうか}、
{ ＰＬＭＮ情報、セルの同一周波数再選択の禁止／許可}、
{ＴＡ情報、ＲＡＮ  ＡＲＥＡ情報、セルＩＤ }、{ＴＡ情報、ＲＡＮ  ＡＲＥＡ情報、セルの禁止かどうか}、{ＴＡ情報、ＲＡＮ  ＡＲＥＡ情報、同一周波数の再選択の許可するかどうか}、
{ ＴＡ情報、セルＩＤ、セルの禁止かどうか}、{ ＴＡ情報、セルＩＤ、同一周波数の再選択の許可するかどうか}、
{ ＴＡ情報、セルの同一周波数再選択の禁止／許可}、
{ ＲＡＮ  ＡＲＥＡ情報、セルＩＤ、セルの禁止かどうか}、{ ＲＡＮ  ＡＲＥＡ情報、セルＩＤ、同一周波数の再選択の許可するかどうか}、
{ ＲＡＮ  ＡＲＥＡ情報、セルの同一周波数再選択の禁止／許可}、
{ ＰＬＭＮ情報、ＴＡ情報、ＲＡＮ  ＡＲＥＡ情報、セルＩＤ }、{ ＰＬＭＮ情報、ＴＡ情報、ＲＡＮ  ＡＲＥＡ情報、セルの禁止かどうか}、{ ＰＬＭＮ情報、ＴＡ情報、ＲＡＮ  ＡＲＥＡ情報、同一周波数の再選択の許可するかどうか}、
{ ＰＬＭＮ情報、ＲＡＮ  ＡＲＥＡ情報、セルＩＤ、セルの禁止かどうか}、{ ＰＬＭＮ情報、ＲＡＮ  ＡＲＥＡ情報、セルＩＤ、同一周波数の再選択の許可するかどうか}、
{ ＰＬＭＮ情報、セルＩＤ、セルの同一周波数再選択の禁止／許可}、
{ＴＡ情報、ＲＡＮ  ＡＲＥＡ情報、セルＩＤ、セルの禁止かどうか}、{ＴＡ情報、ＲＡＮ  ＡＲＥＡ情報、セルＩＤ、同一周波数の再選択の許可するかどうか}、
{ ＲＡＮ  ＡＲＥＡ情報、セルＩＤ、セルの同一周波数再選択の禁止／許可}、
{ ＰＬＭＮ情報、ＴＡ情報、ＲＡＮ  ＡＲＥＡ情報、セルＩＤ、セルの禁止かどうか}、{ ＰＬＭＮ情報、ＴＡ情報、ＲＡＮ  ＡＲＥＡ情報、セルＩＤ、同一周波数の再選択の許可するかどうか}、
{ ＰＬＭＮ情報、ＴＡ情報、ＲＡＮ  ＡＲＥＡ情報、セルＩＤ、セルの同一周波数再選択の禁止／許可}である。
【００３９】
選択可能で、本願の実施例において、ネットワークデバイス２０は、端末デバイスが常駐するセルで端末デバイス１０に第２のタイプのシステム情報を送信する。
【００４０】
選択可能で、当該第２のタイプのシステム情報は、公衆陸上移動通信網（Ｐｕｂｌｉｃ Ｌａｎｄ Ｍｏｂｉｌｅ Ｎｅｔｗｏｒｋ、ＰＬＭＮ）情報、トラッキングエリア（Ｔｒａｃｋｉｎｇ Ａｒｅａ、ＴＡ）情報、無線アクセスネットワーク領域（Ｒａｄｉｏ Ａｃｃｅｓｓ Ｎｅｔｗｏｒｋ ＡＲＥＡ、ＲＡＮ  ＡＲＥＡ）情報、セル識別子（Ｉｄｅｎｔｉｔｙ、ＩＤ）、セルの同一周波数再選択の禁止／許可、時分割複信（Ｔｉｍｅ Ｄｉｖｉｓｉｏｎ Ｄｕｐｌｅｘ、ＴＤＤ）構成、セル選択情報及び他のシステム情報のスケジューリング情報のうちの少なくとも１つの情報を含む。
【００４１】
任意選択で、第２のタイプのシステム情報は、セル選択の構成またはしきい値をさらに含み得る。
【００４２】
第２のタイプのシステム情報に含まれる情報は、上述した第１のタイプのシステム情報と同様に生成された情報又は情報の組み合わせであってもよく、簡潔のためにここでは説明を省略する。
【００４３】
本発明の実施例に係るシステム情報送信方法は、ハードウェア層と、ハードウェア層上で動作するオペレーティングシステム層と、オペレーティングシステム層上で動作するアプリケーション層とを含む端末デバイスに適用されてもよい。このハードウェア層は、中央処理装置( Ｃｅｎｔｒａｌ Ｐｒｏｃｅｓｓｉｎｇ Ｕｎｉｔ、ＣＰＵ )、メモリ管理ユニット( ＭＭＵ、Ｍｅｍｏｒｙ Ｍａｎａｇｅｍｅｎｔ Ｕｎｉｔ )、メモリ(主記憶ともいう)などのハードウェアを含む。オペレーティングシステムは、プロセスを介してビジネスプロセスを実装する１つ以上のコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はｗｉｎｄｏｗｓオペレーティングシステム等であってよい。このアプリケーション層は、ブラウザ、アドレス帳、ワープロソフト、インスタントメッセンジャー等のアプリケーションを含む。
【００４４】
本発明の実施例に係るシステム情報送信方法は、アクセスネットワークデバイスでもよいし、データネットワーク、いわゆるコアネットワークでもよいネットワークデバイスに適用することができる。
【００４５】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００４６】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００４７】
図２は本願の実施例におけるシステム情報の送信方法２００のフローチャートである。図２に示すように、当該方法２００がネットワークデバイスにより実行され、当該ネットワークデバイスは、図１のネットワークデバイスであっても良く、当該方法２００の端末デバイスは、図１に示す端末デバイスであり、当該方法２００は２１０を含む。
【００４８】
２１０において、端末デバイスがセル発見を行うための第１のタイプのシステム情報を送信し、当該第１のタイプのシステム情報は、当該端末デバイスが常駐することができないセルのシステム情報である。
【００４９】
なお、各セルが１つのシステム情報に対応する。
【００５０】
なお、端末デバイスは、常駐不可能セルにおいて、例えば、オートネイバー関係( Ａｕｔｏ Ｎｅｉｇｈｂｏｒ Ｒｅｌａｔｉｏｎｓｈｉｐ、ＡＮＲ )を取得し、セル発見を行う。
【００５１】
選択可能で、ネットワークデバイスは、端末デバイスの常駐可能セルと端末デバイス常駐不可セルと区別することができる。
【００５２】
なお、ネットワークデバイスは端末デバイスに当該第１のタイプのシステム情報を送信する。
【００５３】
選択可能で、ネットワークデバイスが端末デバイスの常駐不可セルで端末デバイスに当該第１のタイプのシステム情報を送信する。
【００５４】
選択可能で、ネットワークデバイスは、物理下り共有チャネル（ｐｈｙｓｉｃａｌ Ｄｏｗｎｌｉｎｋ Ｓｈａｒｅｄ Ｃｈａｎｎｅｌ、ＰＤＳＣＨ）を介して端末デバイスに当該第１のタイプのシステム情報を送信する。
【００５５】
選択可能で、当該第１のタイプのシステム情報は、ＰＬＭＮ情報、ＴＡ情報、ＲＡＮ  ＡＲＥＡ情報、セルＩＤ、セルの同一周波数再選択の禁止／許可のうちの少なくとも１つを含む。
【００５６】
選択可能で、セルＩＤは、グローバルセルラー識別子（Ｇｌｏｂａｌ Ｃｅｌｌｕｌａｒ Ｉｄｅｎｔｉｔｙ、ＧＣＩ）であっても良い。
【００５７】
選択可能で、当該方法２００は、さらに、
当該端末デバイスがセルアクセスを行うための第２のタイプのシステム情報を送信することを含み、当該第２のタイプのシステム情報は、当該端末デバイスが常駐することができるセルのシステム情報である。
【００５８】
なお、端末デバイスは、常駐することができるセルでセルアクセスを行い、例えば、端末デバイスは、常駐可能なセルをハンドオーバーすることができる。
【００５９】
なお、当該ネットワークデバイスが当該端末デバイスに当該第２のタイプのシステム情報を送信する。
【００６０】
選択可能で、ネットワークデバイスは、ＰＤＳＣＨを介して端末デバイスに当該第２のタイプのシステム情報を送信する。
【００６１】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、ＴＤＤ構成、セル選択情報及び他のシステム情報のスケジューリング情報のうちの少なくとも１つの情報を含む。
【００６２】
選択可能で、当該第２のタイプのシステム情報は、セル選択の構成又は閾値を含む。
【００６３】
選択可能で、ネットワークデバイスが端末デバイスに当該第１のタイプのシステム情報及び／又は当該第２のタイプのシステム情報を送信する前に、当該方法２００は、さらに
当該端末デバイスに情報を送信することを含み、当該情報は、送信するシステム情報が当該第１のタイプのシステム情報及び／又は当該第２のタイプのシステム情報であることを示す。
【００６４】
選択可能で、ネットワークデバイスが端末デバイスに当該第１のタイプのシステム情報及び／又は当該第２のタイプのシステム情報を送信する前に、当該方法２００は、さらに、
当該端末デバイスに情報を送信することを含み、当該情報は、送信するシステム情報に対応するセルが常駐不可セル及び／又は常駐可能セルであることを示す。
【００６５】
なお、ネットワークデバイスにより送信するシステム情報は、第１のタイプのシステム情報のみを含んでも良いし、第２のタイプのシステム情報のみを含んでも良いし、第１のタイプのシステム情報と第２のタイプのシステム情報を含んでも良い。
【００６６】
なお、ネットワークデバイスにより送信するシステム情報に対応するセルは、常駐不可セルのみを含んでも良いし、常駐可能セルを含んでも良いし、常駐不可セル及び常駐可能セルを含んでも良い。
【００６７】
選択可能で、当該端末デバイスが当該情報を受信した後、当該情報を介してネットワークデバイスの以降に各セルで送信したシステム情報が当該第１のタイプのシステム情報又は当該第２のタイプのシステム情報であるかを確定し、適切なセルのシステム情報を積極的に取得することができる。
【００６８】
選択可能で、当該情報は、物理放送チャネルを介して送信するシステム情報に搬送しても良い。
【００６９】
選択可能で、物理放送チャネル（Ｐｈｙｓｉｃａｌ Ｂｒｏａｄｃａｓｔ Ｃｈａｎｎｅｌ、ＰＢＣＨ）を介して当該端末デバイスに当該情報を送信する。
【００７０】
このように、本発明の実施例に係るシステム情報送信方法は、ネットワークデバイスが端末デバイスの常駐不可セルで端末デバイスのセル発見を実現するための第１種のシステム情報を送信することによって、第１種のシステム情報にはセル発見を行うために必要な情報のみを含めることができ、システム情報の送信に不必要なシグナリングオーバーヘッドが生じることを回避することができる。
【００７１】
さらに、ネットワークデバイスは、端末デバイスのセルアクセスを可能にするための第２のシステム情報を端末デバイスの常駐可能セルで送信するので、端末デバイスの常駐可能セルと端末デバイスのキャンプオン不可能セルとでそれぞれ異なるシステム情報を設定することができ、システム情報を最適化することができる。
【００７２】
さらに、ネットワークデバイスは、セルで送信するシステム情報が第１のシステム情報であるか第２のシステム情報であるかを示す情報を端末デバイスに送信するので、端末デバイスは、情報に基づいて各セルのシステム情報のタイプを予め判断することができ、システム情報を意図的に受信することができ、システム情報の受信に伴うシグナリングオーバーヘッドを削減することができる。
【００７３】
図３は、本願の実施例におけるシステム情報の送信方法３００のフローチャートである。図３に示すように、当該方法３００が端末デバイスに実行され、当該端末デバイスは、図１の端末デバイスであり、当該方法３００のネットワークデバイスは図１のネットワークデバイスであり、当該方法３００は、３１０を含む。
【００７４】
３１０において、ネットワークデバイスにより送信された情報を受信し、当該情報は、少なくとも１つの受信予定のシステム情報の各受信予定のシステム情報が第１のタイプのシステム情報又は第２のタイプのシステム情報であることを示し、又は、当該情報は、少なくとも１つのセルの各セルが端末デバイスアクセス可能セル又はアクセス不可セルであることを示す。
【００７５】
ここで、当該第１のタイプのシステム情報は、端末デバイスがセル発見を行うための情報を含み、当該第２のタイプのシステム情報は、端末デバイスがセルアクセスを行うための情報を含み、当該端末デバイスのアクセス不可セルのシステム情報は、当該第１のタイプのシステム情報であり、当該端末デバイスのアクセス可能セルのシステム情報は、当該第２のタイプのシステム情報である。
【００７６】
選択可能で、当該第１のタイプのシステム情報は、ＰＬＭＮ情報、ＴＡ情報、ＲＡＮ  ＡＲＥＡ情報、セルＩＤ、セルの同一周波数再選択の禁止／許可のうちの少なくとも１つの情報を含む。
【００７７】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、ＴＤＤ構成、セル選択情報及び他のシステム情報のスケジューリング情報のうちの少なくとも１つの情報を含む。
【００７８】
当該方法３００は、さらに
当該ネットワークデバイスにより送信された当該少なくとも１つの受信予定のシステム情報を受信することを含み、当該各受信予定のシステム情報が１つのセルに対応し、
当該情報に基づいて、各セルに対応する当該受信予定のシステム情報が当該第１のタイプのシステム情報又は当該第２のタイプのシステム情報であると確定する。
【００７９】
選択可能で、端末デバイスがＰＢＣＨを介して当該ネットワークデバイスにより送信された当該情報を受信する。
【００８０】
なお、システム情報を送信する方法３００におけるステップは、システム情報を送信する方法２００における対応するステップの説明を参照してもよく、簡潔のためにここでは詳しい説明を省略することを理解されたい。
【００８１】
このように、本発明の実施例に係るシステム情報送信方法は、端末デバイスがネットワークデバイスから送信される情報を受信することによって、セルから送信されるシステム情報が第１のシステム情報であるか第２のシステム情報であるかを示すことができ、端末デバイスは情報に基づいて各セルのシステム情報のタイプを予め特定できるので、システム情報を意図的に受信することができ、システム情報の受信過程で発生するシグナリングオーバーヘッドを低減することができる。
【００８２】
図４は、本願の実施例のおけるネットワークデバイス４００のブロックである。図４に示すように、当該ネットワークデバイス４００は、送信ユニット４１０を含む。
【００８３】
送信ユニット４１０は、端末デバイスがセル発見を行うための第１のタイプのシステム情報を送信するように構成され、当該第１のタイプのシステム情報は、当該端末デバイスが常駐することができないセルのシステム情報である。
【００８４】
選択可能で、当該送信ユニット４１０は、さらに、当該端末デバイスがセルアクセスを行うための第２のタイプのシステム情報を送信するように構成され、当該第２のタイプのシステム情報は、当該端末デバイスが常駐することができるセルのシステム情報である。
【００８５】
選択可能で、当該送信ユニット４１０が当該第１のタイプのシステム情報及び／又は当該第２のタイプのシステム情報を送信する前に、当該送信ユニット４１０は、さらに、当該端末デバイスに情報を送信するように構成され、当該情報は、送信するシステム情報が当該第１のタイプのシステム情報及び／又は当該第２のタイプのシステム情報であり、又は、送信するシステム情報に対応するセルが常駐不可セル及び／又は常駐可能セルであることを示す。
【００８６】
選択可能で、当該送信ユニット４１０は、さらに、物理放送チャネルＰＢＣＨを介して当該端末デバイスに当該情報を送信するように構成される。
【００８７】
選択可能で、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００８８】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００８９】
本発明の実施例によるネットワークデバイス４００における様々なモジュールの上記及び他の動作及び/又は機能は、それぞれ、図２の方法２００におけるネットワークデバイスの対応するフローを実施するために、簡潔のためにここでは繰り返し説明しないことを理解されたい。
【００９０】
図５は本願の実施例における端末デバイス５００のブロック図である。図５に示すように、当該端末デバイス５００は、受信ユニット５１０を含む。
【００９１】
受信ユニット５１０は、ネットワークデバイスにより送信された情報を受信するように構成され、当該情報は、少なくとも１つの受信予定のシステム情報の各受信予定のシステム情報が第１のタイプのシステム情報又は第２のタイプのシステム情報であることを示し、又は、当該情報は、少なくとも１つのセルの各セルが端末デバイスアクセス可能セル又はアクセス不可セルであることを示す、
ここで、当該第１のタイプのシステム情報は、端末デバイスがセル発見を行うための情報を含み、当該第２のタイプのシステム情報は、端末デバイスがセルアクセスを行うための情報を含み、当該端末デバイスのアクセス不可セルのシステム情報は、当該第１のタイプのシステム情報であり、当該端末デバイスのアクセス可能セルシステム情報は、当該第２のタイプのシステム情報である。
【００９２】
選択可能で、当該端末デバイス５００は、さらに、当該受信ユニット５１０を含む。
【００９３】
当該受信ユニット５１０は、さらに、当該ネットワークデバイスにより送信された当該少なくとも１つの受信予定のシステム情報を受信するように構成され、当該各受信予定のシステム情報が１つのセルに対応する、
確定ユニット５２０は、当該情報に基づいて、各セルに対応する当該受信予定のシステム情報が当該第１のタイプのシステム情報又は当該第２のタイプのシステム情報であると確定するように構成される。
【００９４】
選択可能で、当該第１のタイプのシステム情報は、公衆陸上移動通信網ＰＬＭＮ情報、トラッキングエリアＴＡ情報、無線アクセスネットワーク領域ＲＡＮ  ＡＲＥＡ情報、セル識別子ＩＤ、セルの同一周波数再選択の禁止／許可のうちの少なくとも１つの情報を含む。
【００９５】
選択可能で、当該第２のタイプのシステム情報は、ＰＬＭＮ情報、ＴＡ情報、ＲＡＮ  ＡＲＥＡ情報、セルＩＤ、セルの同一周波数再選択の禁止／許可、時分割複信ＴＤＤ構成、セル選択情報及び他のシステム情報のスケジューリング情報のうちの少なくとも１つの情報を含む。
【００９６】
選択可能で、当該受信ユニット５１０は、さらに、物理放送チャネルＰＢＣＨを介して当該ネットワークデバイスにより送信された当該情報を受信するように構成される。
【００９７】
本発明の実施例による端末デバイス５００の各モジュールの上記及び他の動作及び/又は機能は、それぞれ、図３の方法３００における端末デバイスの対応するフローを実施するために、簡潔のためにここでは繰り返し説明しないことを理解されたい。
【００９８】
図６は、本発明の実施例によるシステム情報を送信する装置６００の概略ブロック図を示し、デバイス６００は、
コードを含むプログラムを記憶するためのメモリ６１０と、
他の装置と通信するための送受信器６２０と、
メモリ６１０内のプログラムコードを実行するために使用されるプロセッサ６３０とを含む。
【００９９】
任意選択で、コードが実行されると、プロセッサ６３０は、図２の方法２００においてネットワークデバイスによって実行される様々な動作を実施してもよく、簡潔のためにここでは詳しい説明を省略する。この場合、該デバイス６００は、アクセスネットワークデバイスであってもよいし、コアネットワークデバイスであってもよい。送受信器６２０は、プロセッサ６３０の駆動の下で特定の信号の送受信を実行するために用いられる。
【０１００】
選択可能で、コードが実行されると、プロセッサ６３０は、図３の方法３００において端末デバイスによって実行される様々な動作を実施することもできるが、簡潔のためにここでは詳しい説明を省略する。この場合、装置６００は、例えば携帯電話などの端末デバイスであってもよい。
【０１０１】
本発明の実施例において、プロセッサ６３０は、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【０１０２】
メモリ６１０は、読み出し専用メモリおよびランダムアクセスメモリを含み得、プロセッサ６３０に命令およびデータを提供し得る。メモリ６１０の一部は、不揮発性ランダムアクセスメモリも含み得る。例えば、メモリ６１０は、デバイスタイプの情報をさらに記憶することができる。
【０１０３】
トランシーバ６２０は、周波数変調および復調機能またはアップコンバートおよびダウンコンバート機能などの信号送信および受信機能を実装するために使用され得る。
【０１０４】
実装の過程で、方法の少なくとも１つのステップは、プロセッサ６３０内のハードウェアの集積論理回路によって達成されてもよく、または、集積論理回路は、ソフトウェアの形態の命令駆動の下で少なくとも１つのステップを実施してもよい。従って、システム情報を送信する装置６００は、チップであってもよいし、チップセットであってもよい。本願の実施例に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに存在し、プロセッサ６３０は、メモリ内の情報を読み出し、ハードウェアとともに上述した方法のステップを実行する。重複を避けるため、ここでは詳細な説明は省略する。
【０１０５】
図７は、本発明の実施例に係るシステムチップ７００の概略構成図である。図７のシステムチップ７００は、入力インターフェース７０１、出力インターフェース７０２、メモリ７０４内のコードを実行するプロセッサ７０３、及びメモリ７０４を、内部通信接続線を介して接続することができる。
【０１０６】
任意選択で、コードが実行されると、プロセッサ７０３は、方法の実施例においてネットワークデバイスによって実行される方法を実施する。簡潔にするために、ここでは繰り返し説明しない。
【０１０７】
任意選択で、コードが実行されると、プロセッサ７０３は、方法の実施例において端末デバイスによって実行される方法を実施する。簡潔にするために、ここでは繰り返し説明しない。
【０１０８】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施例に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( ＤＳＬ ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブＳｏｌｉｄ Ｓｔａｔｅ Ｄｉｓｋ ( ＳＳＤ ) )などであってもよい。
【０１０９】
本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではないことを理解されたい。
【０１１０】
当業者であれば、説明の便宜及び簡潔にするために、上記に説明されたシステム、装置及びユニットの具体的な動作プロセスは、前述の方法の実施例における対応するプロセスを参照してもよく、ここでその説明が省略されることを理解するであろう。
【０１１１】
以上、本発明の具体的な実施例について説明したが、本発明の技術的範囲はこれに限定されるものではなく、本発明の技術的範囲に属する全ての変形や変更が本発明の技術的範囲に含まれることは当業者にとって明らかである。したがって、本発明の保護範囲は、特許請求の範囲の保護範囲に準ずるものとする。
【手続補正２】
【補正対象書類名】特許請求の範囲
【補正対象項目名】全文
【補正方法】変更
【補正の内容】
【特許請求の範囲】
【請求項１】
端末デバイスがセル発見を行うための第１のタイプのシステム情報を送信することを含み、
前記第１のタイプのシステム情報は、前記端末デバイスが常駐することができないセルのシステム情報である
ことを特徴とするシステム情報の送信方法。
【請求項２】
前記方法は、さらに、
前記端末デバイスがセルアクセスを行うための第２のタイプのシステム情報を送信することを含み、前記第２のタイプのシステム情報は、前記端末デバイスが常駐することができるセルのシステム情報である
ことを特徴とする請求項１に記載のシステム情報の送信方法。
【請求項３】
前記第１のタイプのシステム情報及び／又は前記第２のタイプのシステム情報を送信する前に、前記方法は、さらに、
前記端末デバイスに情報を送信することを含み、
前記情報は、送信するシステム情報が前記第１のタイプのシステム情報及び／又は前記第２のタイプのシステム情報であることを示し、又は、
前記情報は、送信するシステム情報に対応するセルが常駐することができないセル及び／又は常駐することができるセルであることを示す
ことを特徴とする請求項１又は２に記載のシステム情報の送信方法。
【請求項４】
前記端末デバイスに情報を送信することは、
物理放送チャネルＰＢＣＨを介して前記端末デバイスに前記情報を送信することを含む
ことを特徴とする請求項３に記載のシステム情報の送信方法。
【請求項５】
前記第１のタイプのシステム情報は、公衆陸上移動通信網ＰＬＭＮ情報、無線アクセスネットワーク領域ＲＡＮ  ＡＲＥＡ情報、セル識別子ＩＤ、周波数内のセル再選択の禁止／許可のうちの少なくとも１つの情報を含み、
及び／又は
前記第２のタイプのシステム情報は、ＰＬＭＮ情報、ＴＡ情報、ＲＡＮ  ＡＲＥＡ情報、セルＩＤ、周波数内のセル再選択の禁止／許可、時分割複信ＴＤＤ構成、セル選択情報及び他のシステム情報のスケジューリング情報のうちの少なくとも１つの情報を含む
ことを特徴とする請求項１〜４のいずれか１項に記載のシステム情報の送信方法。
【請求項６】
ネットワークデバイスにより送信された情報を受信することを含み、
前記情報は、少なくとも１つの受信予定のシステム情報の各受信予定のシステム情報が第１のタイプのシステム情報又は第２のタイプのシステム情報であることを示し、又は、前記情報は、少なくとも１つのセルの各セルが端末デバイスがアクセスすることができるセル又はアクセスすることができないセルであることを示し、
前記第１のタイプのシステム情報は、端末デバイスがセル発見を行うための情報を含み、前記第２のタイプのシステム情報は、端末デバイスがセルアクセスを行うための情報を含み、前記端末デバイスがアクセスすることができないセルのシステム情報は、前記第１のタイプのシステム情報であり、前記端末デバイスがアクセスすることができるセルのシステム情報は、前記第２のタイプのシステム情報である
ことを特徴とするシステム情報の送信方法。
【請求項７】
前記方法は、さらに、
前記ネットワークデバイスにより送信された、前記少なくとも１つの受信予定のシステム情報を受信することと、
前記情報に基づいて、各セルに対応する前記受信予定のシステム情報が前記第１のタイプのシステム情報又は前記第２のタイプのシステム情報であると確定することとを含み、
前記各受信予定のシステム情報が１つのセルに対応する
ことを特徴とする請求項６に記載のシステム情報の送信方法。
【請求項８】
前記第１のタイプのシステム情報は、公衆陸上移動通信網ＰＬＭＮ情報、無線アクセスネットワーク領域ＲＡＮ  ＡＲＥＡ情報、セル識別子ＩＤ、周波数内のセル再選択の禁止／許可のうちの少なくとも１つの情報を含み、
及び／又は、
前記第２のタイプのシステム情報は、ＰＬＭＮ情報、ＴＡ情報、ＲＡＮ  ＡＲＥＡ情報、セルＩＤ、周波数内のセル再選択の禁止／許可、時分割複信ＴＤＤ構成、セル選択情報及び他のシステム情報のスケジューリング情報のうちの少なくとも１つの情報を含む
ことを特徴とする請求項６又は７に記載のシステム情報の送信方法。
【請求項９】
前記ネットワークデバイスにより送信された情報を受信することは、
物理放送チャネルＰＢＣＨを介して前記ネットワークデバイスにより送信された前記情報を受信することを含む
ことを特徴とする請求項６〜８のいずれか１項に記載のシステム情報の送信方法。
【請求項１０】
請求項１〜５のいずれか１項に記載のシステム情報の送信方法を実行するように構成される送信ユニットを含む
ことを特徴とするネットワークデバイス。
【請求項１１】
ネットワークデバイスにより送信された情報を受信するように構成される受信ユニットを含み、
前記情報は、少なくとも１つの受信予定のシステム情報の各受信予定のシステム情報が第１のタイプのシステム情報又は第２のタイプのシステム情報であることを示し、又は、  前記情報は、少なくとも１つのセルの各セルが端末デバイスがアクセスすることができるセル又はアクセスすることができないセルであることを示し、
前記第１のタイプのシステム情報は、端末デバイスがセル発見を行うための情報を含み、前記第２のタイプのシステム情報は、端末デバイスがセルアクセスを行うための情報を含み、前記端末デバイスがアクセスすることができないセルのシステム情報は、前記第１のタイプのシステム情報であり、前記端末デバイスがアクセスすることができるセルのシステム情報は、前記第２のタイプのシステム情報である
ことを特徴とする端末デバイス。
【請求項１２】
前記端末デバイスは、さらに、確定ユニットを含み、
前記受信ユニットは、さらに、前記ネットワークデバイスにより送信された、前記少なくとも１つの受信予定のシステム情報を受信するように構成され、
前記各受信予定のシステム情報が１つのセルに対応し、
前記確定ユニットは、前記情報に基づいて、各セルに対応する前記受信予定のシステム情報が前記第１のタイプのシステム情報又は前記第２のタイプのシステム情報であると確定するように構成される
ことを特徴とする請求項１１に記載の端末デバイス。
【請求項１３】
前記第１のタイプのシステム情報は、公衆陸上移動通信網ＰＬＭＮ情報、無線アクセスネットワーク領域ＲＡＮ  ＡＲＥＡ情報、セル識別子ＩＤ、周波数内のセル再選択の禁止／許可のうちの少なくとも１つの情報を含む
ことを特徴とする請求項１１又は１２に記載の端末デバイス。
【請求項１４】
前記第２のタイプのシステム情報は、ＰＬＭＮ情報、ＴＡ情報、ＲＡＮ  ＡＲＥＡ情報、セルＩＤ、周波数内のセル再選択の禁止／許可、時分割複信ＴＤＤ構成、セル選択情報及び他のシステム情報のスケジューリング情報のうちの少なくとも１つの情報を含む
ことを特徴とする請求項１１〜１３のいずれか１項に記載の端末デバイス。
【請求項１５】
前記受信ユニットは、さらに、物理放送チャネルＰＢＣＨを介して前記ネットワークデバイスにより送信された前記情報を受信するように構成される
ことを特徴とする請求項１１〜１４のいずれか１項に記載の端末デバイス。
【国際調査報告】
2020532151.tif 000010
2020532151.tif 000011
2020532151.tif 000012
2020532151.tif 000013